(57)【要約】【課題】  この発明は、オペレータの処理に手間がかからなくなり、未確定紙幣と確定済み紙幣の選別中の数え間違えによる計数不一致の発生を防止することができる。【解決手段】  この発明は、一時集積部４１ａ〜４６ａでのジャム時、あるいは一時集積部扉４１ｂ〜４６ｂの開閉時に、一時集積部４１ａ〜４６ａに集積されている未確定紙幣と確定済み紙幣とが混在している場合でも、両者の紙幣をオペレータが意識することなく、まとめて再計数を行うことができるようにしたものである。【選択図】    図１
2008090425.tif 000002
【特許請求の範囲】
【請求項１】
バッチ処理単位の紙葉類群を仕切りカードにより区切った状態で、少なくとも２つ以上の紙葉類群を受入れる受入手段と、
この受入手段により受入された仕切りカードあるいは紙葉類のいずれかを処理媒体として順次１枚ずつ搬送路に取出す取出手段と、
この取出手段により取出され、搬送路によって搬送される処理媒体が仕切りカードであることを判別する第１の判別手段と、
上記取出手段により取出され、搬送路によって搬送される処理媒体が紙葉類であることを判別する第２の判別手段と、
この第２の判別手段による判別結果に基づいて、複数の一時集積部の一つに選択的に区分する区分手段と、
上記第１の判別手段による仕切りカードの判別に基づいて、バッチ処理単位の紙葉類群の区分処理枚数を計数する計数手段と、
上記受入手段により受入れた処理媒体がなくなった際に、上記全ての一時集積部に集積されている紙葉類を対応する収納部へ収納し、上記一時集積部の１つが満杯になった際に、その一時集積部に集積されている紙葉類を対応する収納部へ収納する収納手段と、
上記一時集積部に確定済みの紙葉類と未確定済みの紙葉類とが混在して集積されている状態で、上記搬送路での搬送異常が発生した際に、上記搬送路による上記処理媒体の搬送処理を停止する第１の処理手段と、
上記一時集積部の確定済みの紙葉類と未確定済みの紙葉類とを取出して、上記受入手段に再設定する設定手段と、
この設定手段による再設定時に、上記記憶手段の確定済みの紙葉類の計数枚数の正負を反転して、上記受入れ手段からの処理を再開する第２の処理手段と、
を具備したことを特徴とする紙葉類処理装置。
【請求項２】
仕切カードが、バッチ処理単位の紙葉類群の前後に１枚ずつセットされるものであることを特徴とする請求項１に記載の紙葉類処理装置。
【請求項３】
バッチ処理単位の紙葉類群を仕切りカードにより区切った状態で、少なくとも２つ以上の紙葉類群を受入れる受入手段と、
この受入手段により受入された仕切りカードあるいは紙葉類のいずれかを処理媒体として順次１枚ずつ搬送路に取出す取出手段と、
この取出手段により取出され、搬送路によって搬送される処理媒体が仕切りカードであることを判別する第１の判別手段と、
上記取出手段により取出され、搬送路によって搬送される処理媒体が紙葉類であることを判別する第２の判別手段と、
この第２の判別手段による判別結果に基づいて、複数の一時集積部の一つに選択的に区分する区分手段と、
上記一時集積部の装置本体側に設けられた開閉扉の開閉状態を検知する検知手段と、
上記第１の判別手段による仕切りカードの判別に基づいて、バッチ処理単位の紙葉類群の区分処理枚数を計数する計数手段と、
上記受入手段により受入れた処理媒体がなくなった際に、上記全ての一時集積部に集積されている紙葉類を対応する収納部へ収納し、上記一時集積部の１つが満杯になった際に、その一時集積部に集積されている紙葉類を対応する収納部へ収納する収納手段と、
上記一時集積部に確定済みの紙葉類と未確定済みの紙葉類とが混在して集積されている状態で、上記検知手段により上記開閉扉の開閉が検知された際に、上記搬送路による上記処理媒体の搬送処理を停止する第１の処理手段と、
上記一時集積部の確定済みの紙葉類と未確定済みの紙葉類とを取出して、上記受入手段に再設定する設定手段と、
この設定手段による再設定時に、上記記憶手段の確定済みの紙葉類の計数枚数の正負を反転して、上記受入れ手段からの処理を再開する第２の処理手段と、
を具備したことを特徴とする紙葉類処理装置。
【請求項４】
仕切カードが、バッチ処理単位の紙葉類群の前後に１枚ずつセットされるものであることを特徴とする請求項３に記載の紙葉類処理装置。
【請求項５】
バッチ処理単位の紙葉類群を仕切りカードにより区切った状態で、少なくとも２つ以上の紙葉類群を受入れる受入工程と、
この受入工程により受入された仕切りカードあるいは紙葉類のいずれかを処理媒体として順次１枚ずつ搬送路に取出す取出工程と、
この取出工程により取出され、搬送路によって搬送される処理媒体が仕切りカードであることを判別する第１の判別工程と、
上記取出工程により取出され、搬送路によって搬送される処理媒体が紙葉類であることを判別する第２の判別工程と、
この第２の判別工程による判別結果に基づいて、複数の一時集積部の一つに選択的に区分する区分工程と、
上記第１の判別工程による仕切りカードの判別に基づいて、バッチ処理単位の紙葉類群の区分処理枚数を計数する計数
上記受入工程により受入れた処理媒体がなくなった際に、上記全ての一時集積部に集積されている紙葉類を対応する収納部へ収納し、上記一時集積部の１つが満杯になった際に、その一時集積部に集積されている紙葉類を対応する収納部へ収納する収納手段と、
上記一時集積部に確定済みの紙葉類と未確定済みの紙葉類とが混在して集積されている状態で、上記搬送路での搬送異常が発生した際に、上記搬送路による上記処理媒体の搬送処理を停止する第１の処理手段と、
上記一時集積部の確定済みの紙葉類と未確定済みの紙葉類とを取出して、上記受入手段に再設定する設定手段と、
この設定手段による再設定時に、上記記憶手段の確定済みの紙葉類の計数枚数の正負を反転して、上記受入れ手段からの処理を再開する第２の処理手段と、
を具備したことを特徴とする紙葉類処理装置。
【請求項６】
仕切カードが、バッチ処理単位の紙葉類群の前後に１枚ずつセットされるものであることを特徴とする請求項５に記載の紙葉類処理装置。
【請求項７】
バッチ処理単位の紙葉類群を仕切りカードにより区切った状態で、少なくとも２つ以上の紙葉類群を受入れる受入工程と、
この受入工程により受入された仕切りカードあるいは紙葉類のいずれかを処理媒体として順次１枚ずつ搬送路に取出す取出工程と、
この取出工程により取出され、搬送路によって搬送される処理媒体が仕切りカードであることを判別する第１の判別工程と、
上記取出工程により取出され、搬送路によって搬送される処理媒体が紙葉類であることを判別する第２の判別工程と、
この第２の判別工程による判別結果に基づいて、複数の一時集積部の一つに選択的に区分する区分工程と、
上記一時集積部の装置本体側に設けられた開閉扉の開閉状態を検知する検知工程と、
上記第１の判別工程による仕切りカードの判別に基づいて、バッチ処理単位の紙葉類群の区分処理枚数を計数する計数工程と、
上記受入工程により受入れた処理媒体がなくなった際に、上記全ての一時集積部に集積されている紙葉類を対応する収納部へ収納し、上記一時集積部の１つが満杯になった際に、その一時集積部に集積されている紙葉類を対応する収納部へ収納する収納手段と、
上記一時集積部に確定済みの紙葉類と未確定済みの紙葉類とが混在して集積されている状態で、上記検知手段により上記開閉扉の開閉が検知された際に、上記搬送路による上記処理媒体の搬送処理を停止する第１の処理手段と、
上記一時集積部の確定済みの紙葉類と未確定済みの紙葉類とを取出して、上記受入手段に再設定する設定工程と、
この設定工程による再設定時に、上記記憶工程の確定済みの紙葉類の計数枚数の正負を反転して、上記受入れ工程からの処理を再開する第２の処理工程と、
を具備したことを特徴とする紙葉類処理装置。
【請求項８】
仕切カードが、バッチ処理単位の紙葉類群の前後に１枚ずつセットされるものであることを特徴とする請求項７に記載の紙葉類処理装置。
【発明の詳細な説明】
【技術分野】
【０００１】
この発明は、バッチ処理単位の紙葉類群を仕切りカードにより区切った状態で、少なくとも２つ以上の紙葉類群を一括して処理する紙葉類処理装置と紙葉類処理方法に関する。
【背景技術】
【０００２】
従来、紙葉類処理装置として、バッチ処理単位の紙葉類群を仕切りカードにより区切った状態で、少なくとも２つ以上の紙葉類群を一括して処理する装置が知られている（例えば、特許文献１参照。）。
【０００３】
すなわち、紙幣処理装置（紙葉類処理装置）として、複数券種の紙幣を混合して表裏および天地（紙幣の絵柄が正立している状態と逆転している状態）をばらばらな状態にして複数枚まとめて投入し、投入した紙幣を１枚ずつ搬送路上に取出して搬送し、搬送した各紙幣の券種、表裏等に基づいて一時集積部に集積した後、投入された全ての紙幣が区分された際、あるいは一時集積部が満杯となった際に、上記一時集積部の紙幣が対応する収納部へ収納されるようになっている。
この場合、仕切りカードとしてのヘッダカードを用いた紙幣処理装置では、バッチ処理完了ごとに、収納動作を行うことによる、処理効率低下を考慮し、１バッチ完了ごとの収納動作を行わずに、一時集積部に、終了したバッチ処理に対応する確定済み紙幣数と、現在処理中のバッチ処理に対応する未確定紙幣とを混在させることになる。
【０００４】
このような一時集積部に、確定済み紙幣と未確定紙幣が混在している状態の紙幣処理装置において、ジャムが発生した場合の従来の処理について、以下に説明する。
オペレータがジャム解除のために、一時集積部の扉を開けると、紙幣処理装置は該当集積部の確定済み紙幣枚数、および未確定紙幣枚数をジャーナルに印字する。
【０００５】
オペレータは、印字されたジャーナルを元に、一時集積部の紙幣を確定済み紙幣、および未確定紙幣に選別し、確定済み紙幣は保管、未確定紙幣は紙幣処理装置に再供給する。
【０００６】
この際、
（１）ジャム処理におけるオペレータの処理に手間がかかる
扉を開け、一時集積部から回収した紙幣は、オペレータが印字されたジャーナルを元に、確定済み紙幣、または未確定紙幣に選別する必要がある。現金処理機には最大で１７庫の一時集積部が存在するため、オペレータにとって選別作業は大変手間がかかる。
【０００７】
（２）選別中の数え間違えによる計数不一致発生の可能性が高い
確定済み紙幣、または未確定紙幣への選別は人間系の作業となるため、数え間違え(選別間違え)による計数不一致の可能性が高くなる。
【特許文献１】特開２００４−２２４４８１号公報
【特許文献２】特開２００２−３３４３６２号公報
【発明の開示】
【発明が解決しようとする課題】
【０００８】
この発明は、一時集積部に確定済み紙葉類と未確定紙葉類が混在する紙葉類処理装置において、一時集積部の扉の開時に、計数値から確定済み紙葉類分をマイナスすることにより、オペレータのジャム処理を簡略化することができ、つまり紙葉類選別の手間を削減でき、さらにジャム処理のミスオペレーションによる、計数不一致発生を防止することができる紙葉類処理装置と紙葉類処理方法を提供することを目的としている。
【課題を解決するための手段】
【０００９】
この発明の紙葉類処理装置は、バッチ処理単位の紙葉類群を仕切りカードにより区切った状態で、少なくとも２つ以上の紙葉類群を受入れる受入手段と、この受入手段により受入された仕切りカードあるいは紙葉類のいずれかを処理媒体として順次１枚ずつ搬送路に取出す取出手段と、この取出手段により取出され、搬送路によって搬送される処理媒体が仕切りカードであることを判別する第１の判別手段と、上記取出手段により取出され、搬送路によって搬送される処理媒体が紙葉類であることを判別する第２の判別手段と、この第２の判別手段による判別結果に基づいて、複数の一時集積部の一つに選択的に区分する区分手段と、上記第１の判別手段による仕切りカードの判別に基づいて、バッチ処理単位の紙葉類群の区分処理枚数を計数する計数手段と、上記受入手段により受入れた処理媒体がなくなった際に、上記全ての一時集積部に集積されている紙葉類を対応する収納部へ収納し、上記一時集積部の１つが満杯になった際に、その一時集積部に集積されている紙葉類を対応する収納部へ収納する収納手段と、上記一時集積部に確定済みの紙葉類と未確定済みの紙葉類とが混在して集積されている状態で、上記搬送路での搬送異常が発生した際に、上記搬送路による上記処理媒体の搬送処理を停止する第１の処理手段と、上記一時集積部の確定済みの紙葉類と未確定済みの紙葉類とを取出して、上記受入手段に再設定する設定手段と、この設定手段による再設定時に、上記記憶手段の確定済みの紙葉類の計数枚数の正負を反転して、上記受入れ手段からの処理を再開する第２の処理手段とを有する。
【００１０】
この発明の紙葉類処理装置は、バッチ処理単位の紙葉類群を仕切りカードにより区切った状態で、少なくとも２つ以上の紙葉類群を受入れる受入手段と、この受入手段により受入された仕切りカードあるいは紙葉類のいずれかを処理媒体として順次１枚ずつ搬送路に取出す取出手段と、この取出手段により取出され、搬送路によって搬送される処理媒体が仕切りカードであることを判別する第１の判別手段と、上記取出手段により取出され、搬送路によって搬送される処理媒体が紙葉類であることを判別する第２の判別手段と、この第２の判別手段による判別結果に基づいて、複数の一時集積部の一つに選択的に区分する区分手段と、上記一時集積部の装置本体側に設けられた開閉扉の開閉状態を検知する検知手段と、上記第１の判別手段による仕切りカードの判別に基づいて、バッチ処理単位の紙葉類群の区分処理枚数を計数する計数手段と、上記受入手段により受入れた処理媒体がなくなった際に、上記全ての一時集積部に集積されている紙葉類を対応する収納部へ収納し、上記一時集積部の１つが満杯になった際に、その一時集積部に集積されている紙葉類を対応する収納部へ収納する収納手段と、上記一時集積部に確定済みの紙葉類と未確定済みの紙葉類とが混在して集積されている状態で、上記検知手段により上記開閉扉の開閉が検知された際に、上記搬送路による上記処理媒体の搬送処理を停止する第１の処理手段と、上記一時集積部の確定済みの紙葉類と未確定済みの紙葉類とを取出して、上記受入手段に再設定する設定手段と、この設定手段による再設定時に、上記記憶手段の確定済みの紙葉類の計数枚数の正負を反転して、上記受入れ手段からの処理を再開する第２の処理手段とを有する。
【発明の効果】
【００１１】
以上のように、この発明は、紙葉類に対するジャム処理を行った場合でも、仕切カードで仕切った複数バッチの紙葉類をバッチ間で入り繰りを生じることなく確実に処理でき、信頼性を高めることができる紙葉類処理装置と紙葉類処理方法を提供できる。
【発明を実施するための最良の形態】
【００１２】
図１は、この発明の実施の形態に係る紙幣処理装置（紙葉類処理装置）の概略構成を示すものである。
【００１３】
この紙幣処理装置は、図１、図２に示すように、紙幣処理装置1と紙幣処理装置1に指令を送る指令装置（上位装置・テラー）２０２とから構成されている。上位装置２０２が制御する紙幣処理装置1は、１台であっても、複数台であっても良い。
【００１４】
紙幣処理装置１は、複数券種のサイズの異なる複数枚の紙幣を混在させて一括して投入し、全ての紙幣の表裏を揃えてその券種別に分類して集積するためのものであり、特定券種の紙幣についてのみ所定枚数毎に紙帯で施封する機能を有するものである。
【００１５】
上位装置２０２は、上記紙幣処理装置１に対して動作（操作）たとえば施封する券種を指示する機能、上記紙幣処理装置１が計数したデータの表示を行う機能を有し、上記指示の設定用の入力部２０３と表示部２０４と全体制御用の制御部２０５からなるパーソナルコンピュータにより構成され、磁気ディスク等のデータベース２０６を有している。
【００１６】
このデータベース２０６には、上記紙幣処理装置１で処理される計数内容を記憶する計数テーブル２０６ａが備えられている。
【００１７】
この計数テーブル２０６ａとしては、図３、図４に示すように、処理番号ごとに物理枚数、未確認紙幣枚数、確定済み紙幣枚数が登録されるようになっている。
また、施封装置５０で施封する紙幣の種類は、入力部２０３を用いてオペレータにより逐次変更可能である。
【００１８】
紙幣処理装置本体１は、装置の外殻をなす筐体２を有する。筐体２の図中右側にある段部には、複数枚の紙幣Ｐを面方向に集積した状態で立位でまとめて投入する投入部４が設けられている。紙幣Ｐは、それぞれ表裏を有するとともにその長手方向に沿って延びた上端および下端を有し、上端或いは下端が下を向く姿勢で投入部４を介して投入される。
【００１９】
紙幣処理装置1は、ヘッダーカード（仕切りカード）Ｃａとトレーラカード（仕切りカード）Ｃｂで仕切られた複数バッチ（１処理単位）の紙幣Ｐが一括投入されることにより、それらを順に１枚ずつ取出して搬送路１２により搬送するようになっている。
【００２０】
ヘッダーカードＣａは、バッチごとの紙幣の先頭に挿入されるカードであり、トレーラカードＣｂは、バッチごとの紙幣の後段に挿入されるカードであり、それぞれのカードの表面及び裏面に識別用のバーコードが付与されている。また、紙幣Ｐと区別するため、紙幣Ｐの２枚分の厚さを有している。
【００２１】
投入部４は、ヘッダーカードＣａとトレーラカードＣｂで仕切られた複数バッチの紙幣Ｐをその上端或いは下端に当接して整位するステージ４ａを有する。投入部４の図中右端にはステージ４ａに対して鉛直方向に立設されたバックアッププレート６が設けられている。このバックアッププレート６は、ばね８の付勢力によってステージ４ａに沿って図中左方向に移動可能に設けられている。
【００２２】
投入部４に立位で投入されたヘッダーカードＣａ、トレーラカードＣｂ、紙幣Ｐは、バックアッププレート６によってその面方向に付勢され、図中左方向に移動される。そして、図中左端にある紙幣Ｐが紙幣投入部４の図中左側に互いに上下に隣接した状態で配置された２組の取出しローラ１０（取出し部）に押し付けられる。取出しローラ１０を所定方向に回転することにより、投入部４に立位で投入されたヘッダーカードＣａ、トレーラカードＣｂ、紙幣Ｐのうち左端にあるものから順に搬送路１２上に取り出される。搬送路１２上に取出される紙幣Ｐは、その上端或いは下端を先頭にして短手方向に取出される。このとき、各紙幣の表裏はばらばらの状態となっている。本実施の形態では、投入部４から取出される紙幣Ｐの取出し方向は下向きとなっている。
【００２３】
搬送路１２は、搬送路１２の上下でそれぞれ搬送方向に沿って無端走行可能に張設された搬送ベルト１４、１６によって規定されている。各搬送ベルト１４、１６は、幅方向（紙面方向）に延設された複数のローラ１５に巻回されている。
【００２４】
これらの搬送ベルト１４、１６によって上方に折り曲げられた搬送路１２の先には、ヘッダーカードＣａ、トレーラカードＣｂを検知するとともに、紙幣Ｐの券種、表裏、天地、汚れや破損の有無等の特徴を検知する検知部３０が配設されている。検知部３０は、搬送路１２を搬送されるヘッダーカードＣａ、トレーラカードＣｂの厚みとバーコードの読み取りに基づいてヘッダーカードＣａ、トレーラカードＣｂを判別するとともに、搬送路１２を搬送される紙幣Ｐの表面から各種情報を読み取って、読み取った情報を論理演算して基準となる情報と比較し、上述したような紙幣Ｐの特徴を検知する。
【００２５】
上記検知部３０の下流側に延設された搬送路１２上には、検知部３０における検知結果に基づいてヘッダーカードＣａ、トレーラカードＣｂ、紙幣Ｐの搬送方向を選択的に切換えるための複数のゲートＧ１、Ｇ２、Ｇ３〜Ｇ８が設けられている。
【００２６】
検知部３０において、厚さとバーコードの読取りによりヘッダーカードＣａ、トレーラカードＣｂが判別され、ゲートＧ１を介して図中右方向に搬送され、リジェクト箱３２に排出される。
【００２７】
検知部３０において、２枚取りが判定された紙幣、所定のレベルを超えて大きくスキューしたことが判定された紙幣、或いは再流通可能な正券と判定されなかった損券や偽券などの紙幣（紙幣とは限らない）など、後段の処理が不可能であることが判定された紙幣は、ゲートＧ１を介して図中右方向に搬送され、リジェクト箱３２に排出される。リジェクト箱３２には、紙葉類処理装置１の筐体２の外部からアクセス可能となっている。
【００２８】
一方、検知部３０にて処理可能な正常な紙幣であることが判定された紙幣Ｐは、ゲートＧ１を介してゲートＧ２に向けて図中左方向に搬送される。ゲートＧ１を通過された紙幣Ｐは、上述したように表裏および天地がバラバラの状態となっている。このように、表裏および天地がばらばらの状態の紙幣Ｐが、後述する表裏反転機構３４を選択的に通過することによって表裏が取り揃えられ、その券種毎に分類されて集積されることになる。
【００２９】
ゲートＧ２の下流側の搬送路は２方向に分岐されており、ゲートＧ２を２位置間で選択的に切換えることにより紙幣Ｐの搬送方向を２方向に選択的に切換えるようになっている。
【００３０】
ゲートＧ２の下流側で分岐された一方の搬送路上には、紙幣Ｐの表裏を反転させるための表裏反転機構３４（表裏反転部）が設けられている。この表裏反転機構３４を通る搬送路は、その入口から出口に向けて中心軸の回りで１８０°回転されたねじり搬送路を形成している。そして、このねじり搬送路に沿って互いに面接する関係で２組の搬送ベルト３３、３５がねじれた状態で設けられている。また、ゲートＧ２の下流側で分岐された他方の搬送路は、ただ単に紙幣Ｐを通過させるだけの搬送パス３６となっている。
【００３１】
ゲートＧ２を介して振り分けられて表裏反転機構３４のねじり搬送路を通して搬送される紙幣Ｐは、例えば、表裏反転される。ここでは、表面を上にして上端を先頭にして表裏反転機構３４に搬入された紙幣（ＦＦ券）を表裏反転し、裏面を上にしたＢＦ券として表裏反転機構３４から搬出する状態を例示してある。
【００３２】
このようにして表裏反転機構３４を通過して表裏反転された紙幣Ｐ、および表裏反転機構３４を通過せずに搬送パス３６を通過した紙幣Ｐは、いずれも合流部３８を介してゲートＧ３に送り込まれる。このとき、ゲートＧ２を通過してから表裏反転機構３４を介して合流部３８に至る紙幣Ｐの処理時間と搬送パス３６を通過して合流部３８に至る紙幣Ｐの搬送時間が同じになるように、搬送パス３６の長さが設定されている。これにより、表裏反転機構３４を通して搬送された紙幣Ｐと搬送パス３６を通過された紙幣Ｐとが同じタイミングで合流部３８を通過することになり、処理形態に拘わらず全ての紙幣Ｐを同じ条件で処理できる。
【００３３】
ゲートＧ３の下流側の搬送路は２方向に分岐されており、ゲートＧ３を２位置間で選択的に切換えることにより紙幣Ｐの搬送方向を２方向に選択的に切換えるようになっている。
【００３４】
ゲートＧ３の下流側で図中右方向に分岐された一方の搬送路は、複数の一時集積部４１ａ〜４６ａの上方で略水平方向に延びた水平搬送路４０を形成している。水平搬送路４０上には、搬送される紙幣Ｐを６つの一時集積部４１ａ〜４６ａのうちのいずれか１つに振り分けて集積せしめるための５つのゲートＧ４〜Ｇ８が設けられている。
【００３５】
水平搬送路４０の最も上流側にあるゲートＧ４によって選択的に振り分けられた紙幣Ｐは一時集積部４１ａに集積され、ゲートＧ５によって選択的に振り分けられた紙幣Ｐは一時集積部４２ａに集積され、ゲートＧ６によって選択的に振り分けられた紙幣Ｐは一時集積部４３ａに集積され、ゲートＧ７によって選択的に振り分けられた紙幣Ｐは一時集積部４４ａに集積され、ゲートＧ８によって選択的に振り分けられた紙幣Ｐは一時集積部４５ａ或いは一時集積部４６ａに集積される。
【００３６】
ゲートＧ３の下流側で図中左方向に分岐された他方の搬送路の終端には、施封装置５０の集積部５１が設けられている。施封装置５０は、例えば１００枚の紙幣Ｐを集積して紙帯を巻回せしめて施封して紙幣Ｐの束を形成する。
【００３７】
これら施封装置５０の集積部５１には、紙帯による施封をアサインされた特定券種の紙幣Ｐが後述するルールに従って送り込まれる（集積される）。一方、特定券種以外の紙幣Ｐは、上述した一時集積部４１〜４６のいずれかに集積される。
【００３８】
施封装置５０は、図１に示すように、集積部５１、供給部５３、単一の施封部（施封機構）５４、印刷機構５５、帯供給部５６によって構成されている。
【００３９】
集積部５１は、ゲートＧ３を介して送り込まれた紙幣Ｐを集積する。  
施封部５４は、供給部５３によって供給される集積部５１に集積された１００枚の紙幣Ｐを紙帯で施封する単一の施封機構である。
【００４０】
供給部５３は、集積部５１に集積された１００枚の紙幣Ｐを施封部５４に供給する。  
印刷機構５５は、上記施封部５４で使用する紙帯に所望の印刷データを印刷する。  
帯供給部５６は、施封部５４で使用する紙帯を供給する。  
各集積部５１には、後述するルールに従って紙幣Ｐが集積される。
【００４１】
ゲートＧ３を介して集積部５１で集積された紙幣Ｐは、供給部５３によって施封部５４へ送り込まれ、帯供給部５６から供給された紙帯によって施封される。所定枚数毎に施封された紙幣Ｐの束は、移載機構５７によりコンベア５８に移載される。この後、コンベア５８を介して装置外へ搬出される。
【００４２】
尚、施封部５４は、集積部５１に集積された所定枚数の紙幣Ｐを受け取って、その長手方向一側（本実施の形態では紙幣処理装置本体１のリア側）に片寄った位置で、紙帯をその短手方向に沿って巻回し、紙帯を接着することにより、所定枚数の紙幣を施封して束を形成する。
【００４３】
図５には、上述した紙幣処理装置1の動作を制御する制御系のブロック図を示してある。  
この紙幣処理装置1は、制御部８０、メモリ８１、判定部８２、取出し制御部８３、搬送制御部８４、ゲート制御部８５、ジャム検知部８６、駆動回路９１、９２により構成されている。
【００４４】
制御部８０は、予め設定した動作プログラムに従って装置の全体動作を制御する。
【００４５】
メモリ８１は、動作プログラムを記憶したり、計数データとしての物理枚数と未確定枚数データを記憶したり、データ記憶用に用いられるものである。
【００４６】
判定部８２は、検知部３０の検知結果に基づいて、仕切りカードとしてのヘッダーカードＣａ、トレーラカードＣｂを判定するものであり、さらに当該紙幣Ｐが再流通可能か否かを判定し、当該紙幣Ｐの表裏および天地を判定するものであり、それぞれの判定結果を制御部８０に出力するものである。
【００４７】
取出し制御部８３は、制御部８０の制御により取出しローラ１０を回転するものである。  
搬送制御部８４は、制御部８０の制御により搬送路１２による搬送ローラを回転するものである。
【００４８】
ゲート制御部８５は、制御部８０の制御により上記ゲートＧ１〜Ｇ９の駆動を行うものである。  
ジャム検知部８６は、制御部８０の制御により紙幣搬送機構により搬送される搬送媒体の搬送異常としてのジャム等を検知するものである。
【００４９】
駆動回路９１は、制御部８０の制御により施封機構５４を駆動するものである。
【００５０】
駆動回路９２は、制御部８０の制御により印刷機構５５を駆動するものである。  
また、制御部８０は、インターフェース２０１を介して上位装置２０２に接続されている。
【００５１】
次に、上記のように構成された紙幣処理装置１による紙幣の振分け処理について説明する。  
まず、ヘッダーカードＣａとトレーラカードＣｂで仕切られた複数バッチの紙幣Ｐがまとめて投入部４に投入される。そして、図示しない操作パネルによりスタートを指示する。この指示により、制御部８０は取出し制御部８３を制御し、取出しローラ１０を回転する。この取出しローラ１０の回転により、投入部４の左端のヘッダカードＣａから順に１枚ずつ取出され、搬送路１２上を搬送される（搬送路１２への紙幣Ｐの取込み）。
【００５２】
この搬送路１２による搬送により、ヘッダカードＣａと紙幣ＰとトレーラカードＣｂのいずれかが通過媒体として検知部３０の対向部分を通過する。この通過時に、検知部３０により通過媒体の厚さが検知され、バーコードが読取られ、紙幣Ｐの券種、表裏、天地、汚棄損等の特徴が検知される。これにより、検知部３０は、上記各検知結果とバーコードの読取り内容を判定部８２に出力する。
【００５３】
これにより、判定部８２は検知部３０からの各検知結果とバーコードの読取内容に基づいて、通過媒体がヘッダカードＣａと紙幣ＰとトレーラカードＣｂのいずれであるかを判定し、さらに当該紙幣Ｐが再流通可能か否かを判定し、当該紙幣Ｐの表裏および天地を判定し、それぞれの判定結果を制御部８０に出力する。
【００５４】
これにより、制御部８０はそれぞれの判定結果に基づいて、通過媒体の振分け制御を行う。すなわち、再流通不可能な紙幣Ｐ、ヘッダーカードＣａとトレーラカードＣｂに対して、リジェクト箱３２への振り分け制御を行い、再流通可能な紙幣Ｐに対して、金種別に一時集積部４１ａ〜４６ａ、集積部５１への振分け制御を行う。
【００５５】
上記再判定の結果、再流通不可能な紙幣Ｐと判定された際、当該紙幣Ｐの搬送経路をリジェクト箱３２へ向けるべくゲートＧ１が切換えられ、当該紙幣Ｐがリジェクト箱３２へリジェクトされる。
【００５６】
上記判定の結果、再流通不可能な紙幣Ｐと判定された際、当該紙幣Ｐの搬送経路として、ゲートＧ１がゲートＧ２方向に切換えられる。このとき、当該紙幣Ｐが表を上にして搬送されていることが判定されている場合にはゲートＧ２が搬送パス３６方向に切換えられ、当該紙幣Ｐが裏を上にして搬送されていることが判定されている場合にはゲートＧ２が表裏反転機構３４の方向に切換えられて紙幣の表裏が反転される。そして、ゲートＧ３が水平搬送路４０方向に切換えられて、表裏を揃えた状態（本実施の形態では表を上）で合流部３８を通過した紙幣がその券種に応じた集積部４１〜４６（一時集積部４１ａ〜４６ａ）へ選択的に集積される。このとき、判定された当該紙幣Ｐの券種に応じてゲートＧ４〜Ｇ８が切換えられる。
【００５７】
また、上記判定の結果、当該紙幣Ｐが特定券種の紙幣であることが判定されると、ゲートＧ１がゲートＧ３方向に切換えられ、さらにゲートＧ３が集積部５１方向に切換えられて、表裏を揃えた状態（本実施の形態では表を上）で合流部３８を通過した紙幣が集積部５１へ集積される。
【００５８】
この集積部５１で集積された所定枚数単位の紙幣Ｐは、供給部５３によって施封部５４へ送り込まれ、帯供給部５６から供給された紙帯によって施封される。所定枚数毎に施封された紙幣Ｐの束は、移載機構５７によりコンベア５８に移載される。この後、コンベア５８を介して装置外へ搬出される。
【００５９】
上記のような各集積部４１〜４６には当該取引と前回までの取引とを分離区分する仕切手段としてのセパレータ機構（図示しない）が設けられていて、各集積、取出し装置（図示しない）との間に一時集積部４１ａ〜４６ａと紙幣集積カセット４１ｄ〜４６ｄを形成し得る構成となっている
また、一時集積部４１ａ〜４６ａに対向する本体２側には、それぞれ開閉扉４１ｂ〜４６ｂが設けられており、各開閉扉４１ｂ〜４６ｂには開閉兼用の検知器４１ｃ〜４６ｃが設けられている。
【００６０】
また、集積部５１に対向する本体２側には、開閉扉５１ｂが設けられており、各開閉扉５１ｂには開閉兼用の検知器５１ｃが設けられている。
【００６１】
上記のような構成において、オペレータは紙幣処理装置１に接続された上位装置２０２を用いて、紙幣処理装置１の操作を行う。紙幣処理装置１で処理された紙幣は、一時集積部４１ａ〜４６ａに搬送され、最終的には紙幣集積カセット４１ｄ〜４６ｄに収納される。
次に、上記のような構成において、紙幣処理システムの通常機能の概略動作を図６に示すフローチャートと図３に示す各処理段階における計数テーブル２０６ａの記憶内容を参照しつつ説明する。
【００６２】
すなわち、処理開始時、オペレータは上位装置２０２の入力部２０３にて計数する動作モードを設定し、ヘッダーカードＣａとトレーラカードＣｂで仕切られた複数バッチの紙幣Ｐを紙幣投入部４にセットし（ＳＴ１）、上位装置２０２の入力部２０３により計数動作の開始を指示する（ＳＴ２）。たとえば、１バッチ目が２００枚、２バッチ目が６０枚の紙幣Ｐが各カードを挟んだ状態でセットされる。また、この際、上位装置２０２により管理される計数値は、計数テーブル２０６ａにより記憶されるようになっている。この場合、計数テーブル２０６ａには、物理枚数０枚、未確定枚数０枚、確定枚数０枚が記憶されている。
これにより、制御部８０は、上位装置２０２により設定された動作モードに基づいて、紙幣投入部４より紙幣等の取り込み動作を開始し（ＳＴ３）、判定部８２の鑑査結果により計数動作を行い、紙幣搬送機構６により搬送制御（区分制御）を行う。
【００６３】
まず、判定部８２によりヘッダーカードＣａを判別し（ＳＴ４）、1バッチ目の先頭を判断する。このヘッダーカードＣａはゲートＧ１を介して図中右方向に搬送され、リジェクト箱３２に排出される。
【００６４】
この後、判定部８２により紙幣Ｐを判別し、この判別結果により制御部８０は紙幣搬送機構により搬送制御（区分制御）を行う。
【００６５】
また、制御部８０はその判別結果に基づいて、メモリ８１の物理枚数と未確定紙幣の枚数を「＋１」加算する（ＳＴ５）。
そして、判定部８２によりトレーラカードＣｂを判別し（ＳＴ６）、この判別結果により制御部８０は1バッチ目の計数処理の完了を判断し、トレーラカードＣｂはゲートＧ１を介して図中右方向に搬送され、リジェクト箱３２に排出される。
【００６６】
これにより、制御部８０は、1バッチ目の計数処理の完了とメモリ８１の計数枚数としての物理枚数と未確定枚数を上位装置２０２に送信する（ＳＴ７）。この結果、上位装置２０２の計数テーブル２０６ａに、1バッチ目の計数結果として物理枚数２００枚、未確定枚数０枚、確定済み枚数２００枚が記憶される（ＳＴ８）。
また、判定部８２によりトレーラカードＣｂに続いてヘッダーカードＣａを判別し（ＳＴ９）、この判別結果により制御部８０は２バッチ目の先頭を判断し、ヘッダーカードＣａはゲートＧ１を介して図中右方向に搬送され、リジェクト箱３２に排出される。
【００６７】
この後、判定部８２により紙幣Ｐを判別し、この判別結果により制御部８０は紙幣搬送機構６により搬送制御（区分制御）を行う。
【００６８】
これにより、制御部８０は紙幣の判別結果に基づいて、メモリ８１の物理枚数と未確定紙幣の枚数を「＋１」加算する（ＳＴ１０）。
そして、判定部８２によりトレーラカードＣｂを判別し（ＳＴ１１）、この判別結果により制御部８０は２バッチ目の計数処理の完了を判断し、トレーラカードＣｂはゲートＧ１を介して図中右方向に搬送され、リジェクト箱３２に排出される。
【００６９】
これにより、制御部８０は、２バッチ目の計数処理の完了とメモリ８１の計数枚数としての物理枚数と未確定枚数を上位装置２０２に送信する（ＳＴ１２）。この結果、上位装置２０２の計数テーブル２０６ａに、計数結果として物理枚数２６０枚、未確定枚数０枚、確定済み枚数６０枚が記憶される計数確定処理が行われる（ＳＴ１３）。
また、この際、紙幣投入部４にセットした複数バッチの紙幣等のなしを判断した場合に、制御部８０は、計数動作を終了し、一時集積部４１ａ〜４６ａの集積紙幣を全て対向する紙幣集積カセット４１ｄ〜４６ｄに収納する。
また、制御部８０は、計数終了を上位装置２０２へ送信する（ＳＴ１４）。これにより、上位装置２０２は計数終了を表示部２０４により表示し、オペレータに通知する（ＳＴ１５）。
【００７０】
次に、複数バッジ分の紙幣Ｐを一括計数している途中で、搬送異常が発生した際の処理について、図７に示すフローチャートと図４に示す各処理段階における計数テーブル２０６ａの記憶内容を用いて説明する。
【００７１】
すなわち、処理開始時、オペレータは上位装置２０２の入力部２０３にて計数する動作モードを設定し、ヘッダーカードＣａとトレーラカードＣｂで仕切られた複数バッチの紙幣Ｐを紙幣投入部４にセットし（ＳＴ１）、上位装置２０２の入力部２０３により計数動作の開始を指示する（ＳＴ２）。たとえば、１バッチ目が２００枚、２バッチ目が６０枚の紙幣Ｐが各カードを挟んだ状態でセットされる。また、この際、上位装置２０２により管理される計数値は、計数テーブル２０６ａにより記憶されるようになっている。この場合、計数テーブル２０６ａには、物理枚数０枚、未確定枚数０枚、確定枚数０枚が記憶されている。
これにより、制御部８０は、上位装置２０２により設定された動作モードに基づいて、紙幣投入部４より紙幣等の取り込み動作を開始し（ＳＴ３）、判定部８２の鑑査結果により計数動作を行い、紙幣搬送機構により搬送制御（区分制御）を行う。
【００７２】
まず、判定部８２によりヘッダーカードＣａを判別し（ＳＴ４）、１バッチ目の先頭を判断する。このヘッダーカードＣａはゲートＧ１を介して図中右方向に搬送され、リジェクト箱３２に排出される。
【００７３】
この後、判定部８２により紙幣Ｐを判別し、この判別結果により制御部８０は紙幣搬送機構により搬送制御（区分制御）を行う。
【００７４】
また、制御部８０はその判別結果に基づいて、メモリ８１の物理枚数と未確定紙幣の枚数を「＋１」加算する（ＳＴ５）。
そして、判定部８２によりトレーラカードＣｂを判別し（ＳＴ６）、この判別結果により制御部８０は1バッチ目の計数処理の完了を判断し、トレーラカードＣｂはゲートＧ１を介して図中右方向に搬送され、リジェクト箱３２に排出される。
【００７５】
これにより、制御部８０は、1バッチ目の計数処理の完了とメモリ８１の計数枚数としての物理枚数と未確定枚数を上位装置２０２に送信する（ＳＴ７）。この結果、上位装置２０２の計数テーブル２０６ａに、1バッチ目の計数結果として物理枚数２００枚、未確定枚数０枚、確定済み枚数２００枚が記憶される（ＳＴ８）。
また、判定部８２によりトレーラカードＣｂに続いてヘッダーカードＣａを判別し（ＳＴ９）、この判別結果により制御部８０は２バッチ目の先頭を判断し、ヘッダーカードＣａはゲートＧ１を介して図中右方向に搬送され、リジェクト箱３２に排出される。
【００７６】
この後、判定部８２により紙幣Ｐを判別し、この判別結果により制御部８０は紙幣搬送機構により搬送制御（区分制御）を行う。
【００７７】
これにより、制御部８０は紙幣の判別結果に基づいて、メモリ８１の物理枚数と未確定紙幣の枚数を「＋１」加算する（ＳＴ１０）。
この状態において、紙幣処理装置１の制御部８０により、ジャムを検知した際（ＳＴ２１）、紙幣処理装置１自身を停止する（ＳＴ２２）。
【００７８】
(上位装置２０２により管理の計数枚数：物理枚数２００＋α枚、未確定枚数α枚、確定済み枚数２００枚)
これにより、紙幣処理装置１の制御部８０は、上位装置２０２の制御部２０５にジャム発生を通知する（ＳＴ２３）
上位装置２０２の制御部２０５は、ジャム発生を表示部２０４により画面に表示する（ＳＴ２４）。
【００７９】
オペレータは、紙幣処理装置１の一時集積部扉４１ｂから４６ｂを開ける（ＳＴ２５）。これにより、紙幣処理装置１の制御部８０は、検知器４１ｃから４６ｃからの検知信号により、一時集積部扉４１ｂから４６ｂが開けられたことを上位装置２０２の制御部２０５に通知する（ＳＴ２６）。
【００８０】
上位装置２０２の制御部２０５は、物理枚数をクリアし、物理枚数から確定済み紙幣枚数を減算する。(上位装置２０２により管理されている計数枚数：物理枚数−２００枚、未確定枚数０枚、確定済み枚数２００枚)
オペレータは、紙幣処理装置１の制御部８０の一時集積部扉４１ｂから４６ｂから残留紙幣を回収し、回収した紙幣をすべて紙幣処理装置１の紙幣投入部４に再供給する（ＳＴ２８）
オペレータは、紙幣処理装置１の制御部８０の一時集積部扉４１ｂから４６ｂを閉める（ＳＴ２９）
紙幣処理装置１の制御部８０は、一時集積部扉４１ｂから４６ｂが閉められたことを上位装置２０２の制御部２０５に通知する（ＳＴ３０）
オペレータは、上位装置２０２の入力部２０３によりジャム解除を指示する（ＳＴ３１）
上位装置２０２の制御部２０５は、紙幣処理装置１の制御部８０にジャム解除の指示を送信する（ＳＴ３２）
紙幣処理装置１の制御部８０は、ジャム解除の指示により初期化処理を行う（ＳＴ３３）
この後、オペレータは、上位装置２０２の入力部２０３により計数開始を指示する（ＳＴ３４）
上位装置２０２の制御部２０５は、紙幣処理装置１の制御部８０に計数開始の指示を送信する（ＳＴ３５）
この後、判定部８２により紙幣Ｐを判別し、この判別結果により制御部８０は紙幣搬送機構６により搬送制御（区分制御）を行う。
【００８１】
これにより、制御部８０は紙幣の判別結果に基づいて、メモリ８１の物理枚数と未確定紙幣の枚数を「＋１」加算する（ＳＴ３６）。
そして、判定部８２によりトレーラカードＣｂを判別した際（ＳＴ３７）、この判別結果により制御部８０は再設定による２バッチ目の計数処理の完了を判断し、トレーラカードＣｂをゲートＧ１を介して図中右方向に搬送され、リジェクト箱３２に排出される。
【００８２】
これにより、制御部８０は、再設定による２バッチ目の計数処理の完了とメモリ８１の計数枚数としての物理枚数と未確定枚数を上位装置２０２に送信する（ＳＴ３８）。この結果、上位装置２０２の計数テーブル２０６ａに、計数結果として物理枚数２６０枚、未確定枚数６０枚、確定済み枚数２００枚が記憶される。
また、この際、紙幣投入部４にセットした複数バッチの紙幣等のなしを判断した場合に、制御部８０は、計数動作を終了し、一時集積部４１ａ〜４６ａの集積紙幣を全て対向する紙幣集積カセット４１ｄ〜４６ｄに収納する。この結果、上位装置２０２の計数テーブル２０６ａに、計数結果として物理枚数２６０枚、未確定枚数０枚、確定済み枚数２６０枚が記憶される計数確定処理が行われる（ＳＴ３９）。
また、紙幣処理装置１の制御部８０は、上位装置２０２の制御部２０５に計数終了を通知する（ＳＴ４０）。これにより、上位装置２０２の制御部２０５は、計数終了を表示部２０４により表示し、オペレータに通知する（ＳＴ４１）。
【００８３】
上記の場合には、一時集積部４１ａ〜４６ａでのジャム時、あるいは一時集積部扉４１ｂ〜４６ｂの開閉時に、一時集積部４１ａ〜４６ａに集積されている未確定紙幣と確定済み紙幣とが混在している場合でも、両者の紙幣をオペレータが意識することなく、まとめて再計数を行うことができ、オペレータの処理に手間がかからなくなり、未確定紙幣と確定済み紙幣の選別中の数え間違えによる計数不一致の発生を防止することができる。
【００８４】
すなわち、ジャム処理におけるオペレータの処理が軽減できる。一時集積部から回収した紙幣を、オペレータが、確定済み紙幣、または未確定紙幣と意識することなく、全て再供給すればよくなるため、選別作業が無くなり、オペレータの処理が軽減できる。
【００８５】
また、選別中の数え間違えによる計数不一致発生を防止できる。
【００８６】
なお、上記例では、一時集積部４１ａ〜４６ａでのジャム時、あるいは一時集積部扉４１ｂ〜４６ｂの開閉時に、一時集積部４１ａ〜４６ａの集積紙幣を再供給する場合について説明したが、これに限らず、一時集積部４１ａ〜４６ａと集積部５１の集積紙幣を再供給する場合も上記同様に実施できる。
【００８７】
また、一時集積部４１ａ〜４６ａでのジャム時、あるいは一時集積部扉４１ｂ〜４６ｂの開閉時に、一時集積部４１ａ〜４６ａの集積紙幣を再供給する場合について説明したが、これに限らず、集積部５１でのジャム時、あるいは一時集積部扉５２の開閉時に、一時集積部４１ａ〜４６ａと集積部５１の集積紙幣を再供給する場合も上記同様に実施できる。
【図面の簡単な説明】
【００８８】
【図１】この発明の一実施形態を説明するための紙幣処理装置の内部構造を概略的に示す図。
【図２】紙幣処理装置の内部構造を概略的に示す図。
【図３】計数テーブルにおける紙幣枚数の登録例を示す図。
【図４】計数テーブルにおける紙幣枚数の登録例を示す図。
【図５】紙幣処理装置の制御回路を概略的に示すブロック図。
【図６】複数バッジ分の紙幣Ｐを一括計数した際の処理を説明するためのフローチャート。
【図７】複数バッジ分の紙幣Ｐを一括計数している途中で、搬送異常が発生した際の処理を説明するためのフローチャート。
【符号の説明】
【００８９】
１…紙幣処理装置、４…紙幣投入部、１２…搬送路、３０…検知部、５０…施封装置、５１…集積部、５３…供給部、５４…施封部（施封機構）、８０…制御部、２０２…上位装置、２０３…入力部、２０４…表示部、２０５…制御部、２０６…データベース、２０６ａ…計数テーブル。
【図１】
2008090425.tif 000003
【図２】
2008090425.tif 000004
【図３】
2008090425.tif 000005
【図４】
2008090425.tif 000006
【図５】
2008090425.tif 000007
【図６】
2008090425.tif 000008
【図７】
2008090425.tif 000009